(57)【要約】【課題】収容庫の内部温度が高温警報温度に近接していることを報知し、商品が損傷を受けることを抑制すること。【解決手段】ショーケース１に適用され、かつショーケース１の収容庫１０の内部温度が予め決められた高温警報温度以上となってから予め設定された高温警報遅延時間が経過した場合に、高温警報を発するコントローラ５１を備えた管理装置５０であって、コントローラ５１は、内部温度が高温警報温度よりも低い予告高温警報温度以上となってから予め設定された予告高温警報遅延時間が経過した場合に、予告高温警報を発するものである。【選択図】図１
2018204895.tif 000002
【特許請求の範囲】
【請求項１】
ショーケースに適用され、かつ該ショーケースの収容庫の内部温度が予め決められた高温警報温度以上となってから予め設定された高温警報遅延時間が経過した場合に、高温警報を発する制御手段を備えた管理装置であって、
前記制御手段は、前記内部温度が前記高温警報温度よりも低い予告高温警報温度以上となってから予め設定された予告高温警報遅延時間が経過した場合に、予告高温警報を発することを特徴とするショーケースの管理装置。
【請求項２】
前記制御手段は、前記予告高温警報を発した場合、予め決められた解除手続が行われない限り、前記高温警報を発した際にも該予告高温警報を発し続けることを特徴とする請求項１に記載のショーケースの管理装置。
【請求項３】
前記予告高温警報温度は、前記収容庫の内部空気を冷却する冷凍機が駆動する温度であることを特徴とする請求項１又は請求項２に記載のショーケースの管理装置。
【発明の詳細な説明】
【技術分野】
【０００１】
本発明は、ショーケースに適用される管理装置に関するものである。
【背景技術】
【０００２】
従来、ショーケースに適用される管理装置として、ショーケースの収容庫の内部温度が予め決められた高温警報温度以上となってから予め設定された高温警報遅延時間が経過した場合に、高温警報を発するものが示されている（例えば、特許文献１参照）。
【先行技術文献】
【特許文献】
【０００３】
【特許文献１】特開平６−８２１３１号公報
【発明の概要】
【発明が解決しようとする課題】
【０００４】
ところで、上述した管理装置では、高温警報を発した時点では、収容庫の内部温度が高温警報温度以上となって高温警報遅延時間が経過しているため、収容庫に収容された商品が溶解等により損傷を受ける虞れがあった。
【０００５】
本発明は、上記実情に鑑みて、収容庫の内部温度が高温警報温度に近接していることを報知し、商品が損傷を受けることを抑制することができるショーケースの管理装置を提供することを目的とする。
【課題を解決するための手段】
【０００６】
上記目的を達成するために、本発明に係るショーケースの管理装置は、ショーケースに適用され、かつ該ショーケースの収容庫の内部温度が予め決められた高温警報温度以上となってから予め設定された高温警報遅延時間が経過した場合に、高温警報を発する制御手段を備えた管理装置であって、前記制御手段は、前記内部温度が前記高温警報温度よりも低い予告高温警報温度以上となってから予め設定された予告高温警報遅延時間が経過した場合に、予告高温警報を発することを特徴とする。
【０００７】
また本発明は、上記ショーケースの管理装置において、前記制御手段は、前記予告高温警報を発した場合、予め決められた解除手続が行われない限り、前記高温警報を発した際にも該予告高温警報を発し続けることを特徴とする。
【０００８】
また本発明は、上記ショーケースの管理装置において、前記予告高温警報温度は、前記収容庫の内部空気を冷却する冷凍機が駆動する温度であることを特徴とする。
【発明の効果】
【０００９】
本発明によれば、制御手段が、内部温度が高温警報温度よりも低い予告高温警報温度以上となってから予め設定された予告高温警報遅延時間が経過した場合に、予告高温警報を発するので、収容庫の内部温度が高温警報温度に近接していることを報知し、商品が損傷を受けることを抑制することができるという効果を奏する。
【図面の簡単な説明】
【００１０】
【図１】図１は、本発明の実施の形態である管理装置が適用されたショーケースの構成を概念的に示した概念図である。
【図２】図２は、図１に示した管理装置のコントローラが予告高温警報及び高温警報を発するタイミングを示すタイムチャートである。
【発明を実施するための形態】
【００１１】
以下に添付図面を参照して、本発明に係るショーケースの管理装置の好適な実施の形態について詳細に説明する。
【００１２】
図１は、本発明の実施の形態である管理装置が適用されたショーケースの構成を概念的に示したものである。ここで例示するショーケース１は、収容庫１０の内部に収納した商品を冷却した状態で陳列販売するもので、冷凍回路２０、内部温度センサ３０、報知部４０及び管理装置５０を備えている。
【００１３】
冷凍回路２０は、蒸発器２１、圧縮機２２、凝縮器２３及び膨張機構２４が冷媒管路２５を通じて順次接続されて構成されており、内部に冷媒が封入されている。蒸発器２１は、図示せぬ送風ファンにより収容庫１０の内部空気が通過する空気通路１１に配設されている。
【００１４】
圧縮機２２は、収容庫１０及び空気通路１１とは区画された機械室１２に配設されている。この圧縮機２２は、蒸発器２１を通過した冷媒を吸引して高温高圧の状態に圧縮して吐出するものである。凝縮器２３は、圧縮機２２と同様に機械室１２に配設されている。この凝縮器２３は、圧縮機２２で圧縮された冷媒を放熱させて凝縮させるものである。膨張機構２４は、例えば電子膨張弁やキャピラリーチューブ等により構成されるもので、圧縮機２２及び凝縮器２３と同様に機械室１２に設置されている。この膨張機構２４は、凝縮器２３で凝縮した冷媒を減圧して断熱膨張させるものである。
【００１５】
このような冷凍回路２０においては、圧縮機２２から吐出された高温高圧のガス冷媒が凝縮器２３において冷却されて高温高圧の液冷媒となる。この高温高圧の液冷媒は、膨張機構２４により断熱膨張されて低温低圧の気液２相冷媒となり、蒸発器２１に供給される。蒸発器２１に供給された低温低圧の気液２相冷媒は、送風ファンによって供給された収容庫１０の内部空気と熱交換し、吸熱して低温低圧のガス冷媒となることにより収容庫１０の冷却を行う。蒸発器２１から吐出された低温低圧のガス冷媒は、圧縮機２２に吸入され、再び高温高圧のガス冷媒となって凝縮器２３に供給される。
【００１６】
内部温度センサ３０は、収容庫１０の内部に設置されている。この内部温度センサ３０は、収容庫１０の内部温度を検出する検出手段であり、その検出結果である内部温度を内部温度信号として管理装置５０に出力するものである。
【００１７】
報知部４０は、ショーケース１の筐体部分に設置されており、表示部４１及び音声出力部４２を有している。表示部４１は、詳細は後述するが、管理装置５０から警報が発せられた場合に、該警報に対応して予め決められたコードを表示するものである。音声出力部４２は、詳細は後述するが、管理装置５０から警報が発せられた場合に、例えばブザー音等を出力するものである。
【００１８】
管理装置５０は、制御手段であるコントローラ５１を備えている。コントローラ５１は、設定記憶部５１ａ、状態判断部５１ｂ及び出力制御部５１ｃを備えて構成されている。
【００１９】
尚、コントローラ５１は、例えば、ＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２０】
設定記憶部５１ａは、収容庫１０の高温警報温度、予告高温警報温度、高温警報遅延時間、予告高温警報遅延時間を予め設定し、かつこれらを記憶するものである。ここで、高温警報温度は、ショーケース１に異常が発生しているか否かを判断するための閾値である。予告高温警報温度は、高温警報温度よりも低い温度であり、収容庫１０の内部温度が高温警報温度に近接していることを判断するための閾値である。高温警報遅延時間は、内部温度が高温警報温度以上となってから高温警報を発するまでの待機時間である。予告高温警報遅延時間は、内部温度が予告高温警報温度以上となってから予告高温警報を発するまでの待機時間である。
【００２１】
状態判断部５１ｂは、内部温度センサ３０により検出された内部温度によりショーケース１の状態を判断するものである。
【００２２】
出力制御部５１ｃは、予告高温警報及び高温警報を発するものである。より詳細には、出力制御部５１ｃは、予告高温警報を発する際に、報知部４０の表示部４１に所定のコードを表示させるとともに、音声出力部４２に音声を出力させるものである。また出力制御部５１ｃは、高温警報を発する際に、報知部４０の表示部４１に所定のコードを表示させるとともに、音声出力部４２に音声を出力させるものである。更に出力制御部５１ｃは、高温警報を発する際に、管理センター１００に通知を行うものである。ここで管理センター１００は、ショーケース１が設置されて店舗とは別個にあり、複数のショーケース１を集中的に管理するものである。
【００２３】
図２は、図１に示した管理装置５０のコントローラ５１が予告高温警報及び高温警報を発するタイミングを示すタイムチャートである。この図２を参照しながら、本発明の実施の形態である管理装置５０の動作について説明する。尚、以下の説明の前提として、冷凍回路２０では冷媒が循環しており、収容庫１０の冷却を行っているものとする。
【００２４】
内部温度センサ３０により検出される収容庫１０の内部温度Ｔが時間の経過とともに徐々に上昇し、時点ｔ１で内部温度Ｔが予告高温警報温度Ｐ１以上になると、管理装置５０のコントローラ５１は、状態判断部５１ｂを通じて予告高温警報遅延時間Ｄ２の経過待ちとなる。
【００２５】
そして、時点ｔ１から予告高温警報遅延時間Ｄ２が経過した時点ｔ２において、コントローラ５１は、出力制御部５１ｃを通じて予告高温警報を発する。つまり、コントローラ５１は、報知部４０の表示部４１に所定のコードを表示させるとともに、音声出力部４２に音声を出力させる。
【００２６】
これによれば、該ショーケース１が設置される店舗の従業員に、収容庫１０の内部温度が高温警報温度に近接していることを認識させることができ、フィルタの目詰まりの除去等のメンテナンス作業を促すことができる。
【００２７】
ところで、従業員が予告高温警報が発せられてもメンテナンス作業を行うことなく、しかも予め決められた解除手続を行わない場合、収容庫１０の内部温度Ｔが時間の経過とともに徐々に上昇し、時点ｔ３で内部温度Ｔが高温警報温度Ｐ２以上になると、コントローラ５１は、状態判断部５１ｂを通じて高温警報遅延時間Ｄ１の経過待ちとなる。
【００２８】
そして、時点ｔ３から高温警報遅延時間Ｄ１が経過した時点ｔ４において、コントローラ５１は、出力制御部５１ｃを通じて高温警報を発する。つまり、コントローラ５１は、報知部４０の表示部４１に時点ｔ２で表示させた所定のコードとともに高温警報に関するコードを表示させるとともに、音声出力部４２に音声を出力させ、管理センター１００に通知する。
【００２９】
以上説明したように、本発明の実施の形態であるショーケース１の管理装置５０によれば、コントローラ５１が、収容庫１０の内部温度が高温警報温度よりも低い予告高温警報温度以上となってから予告高温警報遅延時間が経過した場合に、予告高温警報を発するので、該ショーケース１が設置される店舗の従業員に、収容庫１０の内部温度が高温警報温度に近接していることを認識させることができ、メンテナンス作業を促すことができる。この結果、内部温度が高温警報温度に達することによる商品の溶解等の損傷の発生を抑制することができる。
【００３０】
以上、本発明の好適な実施の形態について説明したが、本発明はこれに限定されるものではなく、種々の変更を行うことができる。
【００３１】
上述した実施の形態では、コントローラ５１が予告高温警報を発する場合に、報知部４０の表示部４１に所定のコードを表示させるとともに、音声出力部４２に音声を出力させていたが、本発明においては、所定のコードの表示及び音声の出力のいずれかだけを行ってもよいし、更に例えばランプ等の光源を点灯させてもよい。
【００３２】
上述した実施の形態では、コントローラ５１が、予告高温警報を発した場合、予め決められた解除手続が行われない限り高温警報を発する際にも予告高温警報を発し続けているが、本発明においては、高温警報を発する際には、予告高温警報を発することを中断してもよい。
【００３３】
上述した実施の形態では、予告高温警報温度は高温警報温度よりも低い温度であったが、本発明においては、予告高温警報温度は、収容庫１０の内部空気を冷却する圧縮機２２等の冷凍機が駆動する温度であってもよい。
【符号の説明】
【００３４】
１  ショーケース
１０  収容庫
２０  冷凍回路
３０  内部温度センサ
４０  報知部
５０  管理装置
５１  コントローラ
５１ａ  設定記憶部
５１ｂ  状態判断部
５１ｃ  出力制御部
【図１】
2018204895.tif 000003
【図２】
2018204895.tif 000004